(57)【要約】【課題】スイッチ構造の簡素化を図ることができるとともに、低コストでスイッチの小型化を図ることができるロータリスイッチを提供すること、及びフィーリングの良いクリック感（節度）を与え、操作感に優れたロータリスイッチを提供することを課題とする。【解決手段】底面に固定接点２２が一体的に設けられ、ほぼ中央に円柱状の支軸２４が設けられ、絶縁体にて形成された略正方形のスイッチフレーム１１と、支軸２４に回転可能に嵌合する筒部４６が設けられた略円板状の回転操作ノブ１２と、回転操作ノブ１２に嵌合され、固定接点２２に当接する接触片１３と、スイッチフレーム１１に係止され、回転操作ノブ１２にクリック感を与える略リング状の板ばね１４と、スイッチフレーム１１に被せられ、接触片１３、回転操作ノブ１２及び板ばね１４をこの順で且つ支軸２４に同軸にてスイッチフレーム１１に一括して納めるケース１５と、から構成した。【選択図】図１
2008166158.tif 000002
【特許請求の範囲】
【請求項１】
底面に固定接点が一体的に設けられ、ほぼ中央に円柱状の支軸が設けられ、絶縁体にて形成された略正方形のスイッチフレームと、
前記支軸に回転可能に嵌合する筒部が設けられた略円板状の回転操作ノブと、
前記回転操作ノブに嵌合され、前記固定接点に当接する接触片と、
前記スイッチフレームに係止され、前記回転操作ノブにクリック感を与える略リング状の板ばねと、
前記スイッチフレームに被せられ、前記接触片、前記回転操作ノブ及び前記板ばねをこの順で且つ前記支軸に同軸にて前記スイッチフレームに一括して納めるケースと、からなるロータリスイッチ。
【請求項２】
前記回転操作ノブは、前記接触片を取付ける少なくとも二つの凸部が前記支軸に指向して設けられるとともに、前記接触片の位置決めをする位置決め突起が設けられ、
前記接触片は、前記凸部に嵌合する嵌合部が設けられるとともに、前記位置決め突起に嵌合する位置決め部が設けられたことを特徴とする請求項１記載のロータリスイッチ。
【請求項３】
前記接触片は、前記スイッチフレームの前記支軸の廻りにコモン接点が設けられ、このコモン接点の外方に切換接点が設けられ、
前記固定接点は、前記スイッチフレームの前記支軸の廻りに前記コモン接点に接触する中央端子が設けられ、この中央端子の外方に前記切換接点に接触する外周端子が設けられたことを特徴とする請求項１又は請求項２記載のロータリスイッチ。
【請求項４】
前記回転操作ノブは、回転操作時のクリック感を出すために、略円板状の上面外周近傍に複数の凹部が設けられ、
前記板ばねは、前記回転操作ノブの回転に連れて前記凹部に選択的に嵌る嵌合凸部が設けられたことを特徴とする請求項１、請求項２又は請求項３記載のロータリスイッチ。
【請求項５】
前記スイッチフレームは、略正方形のスイッチフレームの対向するコーナに前記板ばねを係止する係止部が設けられ、
前記板ばねは、前記係止部に圧入する圧入片が設けられたことを特徴とする請求項１〜４のいずれか１項記載のロータリスイッチ。
【発明の詳細な説明】
【技術分野】
【０００１】
本発明は、デジタルカメラ等のモード設定などに用いられるロータリスイッチであり、複数の固定接点に接触片を接触させて回転することで接点切換えを行うロータリスイッチに関する。
【背景技術】
【０００２】
ロータリスイッチの中には、スイッチフレーム（スイッチベース）に複数の固定接点を設け、スイッチフレームにスイッチ切換えする回転操作ノブ（回転板）を回転可能に取付け、この回転操作ノブに接触片（回転子）を取付け、スイッチフレームの固定接点に接触片を接触させるものが知られている。
この種のロータリスイッチは、回転操作ノブ（回転板）の外周に所定のピッチで凹部を設け、この凹部に板ばね等のクリック機構を設けるものであった。
【０００３】
このようなロータリスイッチとして、クリック機構を板ばね及びボールから構成したものが知られている（例えば、特許文献１参照。）。
【特許文献１】特開２００１−３５３０９公報（第６頁、図１−３）
【０００４】
特許文献１の技術の概要を、図１６、図１７に基づいて説明する。
図１６は従来のロータリスイッチの説明図であり、図１７は図１６に示されたロータリスイッチの分解図である。
従来のロータリスイッチ２００は、絶縁体で形成した略矩形のスイッチフレーム（スイッチベース）２０１と、このスイッチフレーム２０１に設けた固定端子２０２と、スイッチフレーム２０１に回転可能に取付けた回転操作ノブ２０３と、この回転操作ノブ２０３に取付けられ、固定接点２０２に接触する接触片２０４（図１７参照）と、スイッチフレーム２０１と回転操作ノブ２０３との間に介在するクリック機構２０５と、スイッチフレーム２０１に被せられ、スイッチフレーム２０１内に回転操作ノブ２０３、接触片２０４及びクリック機構２０５を収納するケース２０６（図１７参照）とからなる。
固定接点２０２は、中央に設けられた中央端子２０２ａと、この中央端子２０２ａの外方に設けられた複数の外周接点２０２ｂとを有する。
【０００５】
クリック機構２０５は、略矩形のスイッチフレーム２０１の２辺に設けられるとともに、回転操作ノブ２０３に対向して設けられるものであり、回転操作ノブ２０３に接触する一方のボール２１１と、スイッチフレーム２０１のガイド溝２１３に設けられ、回転操作ノブ２０３に向けてボール２１１を押圧する一方の板ばね２１５と、回転操作ノブ２０３に接触する他方のボール２１２と、スイッチフレーム２０１の他方のガイド溝２１４に設けられ、回転操作ノブ２０３に向けてボール２１２を押圧する他方の板ばね２１６とからなる。
【０００６】
このように、従来のロータリスイッチ２００は、複数の固定接点２０２に接触片２０４を接触させ、回転操作ノブ２０３を回転することで、固定接点２０２に接触片２０４を摺動させて回路切換えを行い、このときに、クリック機構２０５で適度なクリック感（節度）を与えるものであった。
【０００７】
しかし、従来のロータリスイッチ２００では、クリック機構２０５が、略矩形のスイッチフレーム２０１の２辺に設けられたので、ロータリスイッチ２００の外形が大きく必要であり、ロータリスイッチ２００の小型化の妨げになっていた。
【０００８】
その上、クリック機構２０５を、２個のボール２１１，２１２と、一対の板ばね２１５，２１６とから構成するため、ロータリスイッチ２００の構造が複雑になっていた。
【０００９】
さらに、回転操作ノブ２０３にボール２１１，２１２を付勢するためには、構造上、ガイド溝２１３，２１４に対して板ばね２１５，２１６の端部が隙間を保った状態で（ガタを持たせて）、ガイド溝２１３，２１４に長手状の板ばね２１５，２１６が挿入している。このためにガイド溝２１３，２１４と板ばね２１５，２１６の端部との間に所定のガタが必要となる。従って、回転操作ノブ２０３を回転操作するときに、ガイド溝２１３，２１４の中で板ばね２１５，２１６が踊る現象が現れ、フィーリングの良いクリック感（節度）を与えることができなかった。
【発明の開示】
【発明が解決しようとする課題】
【００１０】
本発明は、スイッチ構造の簡素化を図ることができるとともに、低コストでスイッチの小型化を図ることができるロータリスイッチを提供すること、及びフィーリングの良いクリック感（節度）を与え、操作感に優れたロータリスイッチを提供することを課題とする。さらに、切換えの接点数を多く設定することが可能なロータリスイッチを提供することを課題とする。
【課題を解決するための手段】
【００１１】
請求項１に係るロータリスイッチの発明は、底面に固定接点が一体的に設けられ、ほぼ中央に円柱状の支軸が設けられ、絶縁体にて形成された略正方形のスイッチフレームと、支軸に回転可能に嵌合する筒部が設けられた略円板状の回転操作ノブと、回転操作ノブに嵌合され、固定接点に当接する接触片と、スイッチフレームに係止され、回転操作ノブにクリック感を与える略リング状の板ばねと、スイッチフレームに被せられ、接触片、回転操作ノブ及び板ばねをこの順で且つ支軸に同軸にてスイッチフレームに一括して納めるケースと、から構成したことを特徴とする。
【００１２】
請求項２に係る発明は、回転操作ノブに、接触片を取付ける少なくとも二つの凸部が支軸に指向して設けられるとともに、接触片の位置決めをする位置決め突起が設けられ、接触片に、凸部に嵌合する嵌合部が設けられるとともに、位置決め突起に嵌合する位置決め部が設けられたことを特徴とする。
【００１３】
請求項３に係る発明は、接触片に、スイッチフレームの支軸の廻りにコモン接点が設けられ、このコモン接点の外方に切換接点が設けられ、固定接点に、スイッチフレームの支軸の廻りにコモン接点に接触する中央端子が設けられ、この中央端子の外方に切換接点に接触する外周端子が設けられたことを特徴とする。
【００１４】
請求項４に係る発明は、回転操作ノブに、回転操作時のクリック感を出すために、略円板状の上面外周近傍に複数の凹部が設けられ、板ばねに、回転操作ノブの回転に連れて凹部に選択的に嵌る嵌合凸部が設けられたことを特徴とする。
【００１５】
請求項５に係る発明は、スイッチフレームに、略正方形のスイッチフレームの対向するコーナに板ばねを係止する係止部が設けられ、板ばねに、スイッチフレームの係止部に圧入する圧入片が設けられたことを特徴とする。
【発明の効果】
【００１６】
請求項１に係る発明では、回転操作ノブに接触片を嵌合し、接触片、回転操作ノブ及び板ばねをこの順でスイッチフレームに一括して納め、スイッチフレームにケースを被せてロータリスイッチの組立を完了する。構成部品は、固定接点が一体的に設けられたスイッチフレームと、固定接点に接触する接触片と、接触片を操作する回転操作ノブと、この回転操作ノブにクリック感を与える板ばねと、スイッチフレームに被せるケースとの５部品だけなので、スイッチの構造の簡素化を図ることができる。
また、スイッチフレームに、接触片、回転操作ノブ及び板ばねをこの順で且つ支軸に同軸にて納める構造なので、例えば、板ばねを回転操作ノブの側方に配置する場合に比べ、ロータリスイッチの小型化を図ることができる。
【００１７】
請求項２に係る発明では、回転操作ノブの位置決め突起に接触片の位置決め部を合わせ、回転操作ノブの凸部に接触片の嵌合部を嵌合する。このときに、回転操作ノブの少なくとも二つの凸部が支軸に指向して設けられ、凸部に嵌合部を嵌合するようにした。従って、接触片のたわみが嵌合部をより嵌合する方向に作用し、二つの凸部及び嵌合部の嵌合する面に所定の角度を持たすことができ、回転操作ノブに対する接触片のガタを吸収し、回転操作ノブに接触片を強固に嵌合することができる。これにより、回転操作ノブに接触片をカシメ等をする必要がなく、組立工数の削減を図ることができる。また、凸部に嵌合部を嵌合するだけなので、組付け強度の均一化を図ることができる。
【００１８】
請求項３に係る発明では、スイッチフレームの支軸の廻りに接触片のコモン接点及び固定接点の中央端子が設けられ、これらのコモン接点及び中央端子の外方に切換接点及び外周端子が設けられる。これにより、スイッチのＯＮ／ＯＦＦの角度精度を高めることができるとともに、スイッチフレームの底面のスペースを有効利用することができる。この結果、切換えの接点数を多く設定することができる。すなわち、多ポジションのロータリスイッチを実現することができる。
【００１９】
請求項４に係る発明では、回転操作ノブの略円板状の上面外周近傍に複数の凹部が設けられ、板ばねの凹部に選択的に嵌る嵌合凸部が設けられたので、回転操作ノブの上部に板ばねを配置することができる。これにより、スイッチフレームの外形を小さなものとすることができる。この結果、ロータリスイッチの小型化を図ることができる。
【００２０】
請求項５に係る発明では、略正方形のスイッチフレームの対向するコーナに板ばねを係止する係止部が設けられ、板ばねに、係止部に圧入する圧入片が設けられる。すなわち、略正方形のスイッチフレームの対向するコーナに板ばねの係止部が設けられたので、係止部のスパンを最も長く設定することができる。この結果、スイッチフレームに板ばねが安定した状態で係止される。
また、板ばねに、係止部に圧入する圧入片が設けられたので、スイッチフレームに対する板ばねのガタを防止することができる。これにより、回転操作ノブに、フィーリングの良いクリック感（節度）を与えることができる。この結果、操作感の優れたロータリスイッチを実現することができる。
【発明を実施するための最良の形態】
【００２１】
本発明を実施するための最良の形態を添付図に基づいて以下に説明する。なお、図面は符号の向きに見るものとする。
図１は本発明に係るロータリスイッチの分解斜視図であり、図２は図１に示されたロータリスイッチの平面図であり、図３は図２の３−３線断面図であり、図４は図１に示されたロータリスイッチの回転操作ノブの下面に接触片を組付けた組立図であり、図５は図４の５−５線断面図である。
【００２２】
図１〜図３に示すように、ロータリスイッチ１０は、略正方形のスイッチフレーム（スイッチベース）１１と、このスイッチフレーム１１に回転可能に取付けた回転操作ノブ１２と、この回転操作ノブ１２に嵌合した接触片１３と、スイッチフレーム１１に係止した板ばね１４と、スイッチフレーム１１に被せるケース（カバー）１５とからなる。
【００２３】
スイッチフレーム１１は、絶縁体にて形成されたフレーム本体２１と、このフレーム本体２１に設けられた固定接点２２と、接触片１３が摺動する固定接点２２の摺動部分を露出するように、フレーム本体２１に設けられた収納凹部２３と、この収納凹部２３のほぼ中央に設けられた円柱状の支軸２４と、フレーム本体２１に対向する二つのコーナに設けられた係止部（圧入溝）２５，２５と、これらの係止部２５，２５に直交させ且つフレーム本体２１の対向する二つのコーナに設けられた三角凸部２６，２６と、フレーム本体２１の二辺の側面にそれぞれ二個ずつ設けられた突起部２７，２７とからなる。
【００２４】
固定接点２２は、スイッチフレーム１１の底面に一体的に設けられる部材であり、支軸２４の周りに設けられ、接触片１３が接触するとともに摺動する中央端子２９と、この中央端子２９の外方に囲むように設けられ、接触片１３が接触するとともに摺動する複数の外周端子３１〜４０とからなる。
【００２５】
ロータリスイッチ１０は、１０ポジションの切換えを可能にするスイッチなので、中央端子２９はフレーム本体２１に１個設けられ、外周端子３１〜４０はフレーム本体２１に１０個設けられる。
【００２６】
収納凹部２３は、接触片１３、回転操作ノブ１２及び板ばね１４をこの順で且つ支軸２４に同軸にて納める部分である。
支軸２４は、フレーム本体２１の底面から突出され、回転操作ノブ１２を回転可能に支持する部分である。
【００２７】
係止部２５は、板ばね１４が圧入され、板ばね１４を強固に支持する部分である。
突起部２７は、スイッチフレーム１１にケース１５が係止される部分であり、フレーム本体２１の上方にフレームテーパ面４１が設けられ、このテーパ面４１の下部にフレーム段部４２が設けられる。この突起部２７は、ケース１５の取付けの際にはテーパ面４１でケース１５を案内し、段部４２にケース１５が入り込むことで、フレーム本体２１にケース１５が取付けられる部分である。
【００２８】
回転操作ノブ１２は、略円板状の基盤４４と、この基盤４４の中心から上方に突出され、回転操作を可能にする操作部４５と、基盤４４の中心から下方に延出され、支軸２４に回転可能に嵌合する円筒状の筒部４６と、基盤４４の上面に設けられケース１５との摩擦を低減する摺動凸部４７，４８と、基盤４４の上面で且つ外周近傍に設けられ、板ばね１４を納める段差部４９と、この段差部４９に設けられ板ばね１４に嵌合する複数の凹部５１と、基盤４４の筒部４６に指向して設けられ、板ばね１４を嵌合する第１・第２の凸部５２，５３と、基盤４４の下面に設けられ、接触片１３の位置決めをする第１〜第３の位置決め突起５４〜５６とからなる。
【００２９】
操作部４５は、略Ｄ型の突起であり、先端に操作つまみ（不図示）の嵌合を容易にするテーパ部５７と、内部に成形時のひけ若しくは変形を防止する肉逃げ部５８とを備える。
摺動凸部４７，４８は、同心円に形成される。
【００３０】
図４及び図５に示すように、第１の凸部５２は、筒部４６に指向させて凸状に形成されるものであり、基盤４４の下方向にテーパ面６１が形成され、このテーパ面６１の上部に段部６２が形成される。この凸部５２は、接触片１３の取付けの際にはテーパ面６１で接触片１３を案内し、段部６２に接触片１３が入り込むことで回転操作ノブ１２に接触片１３が取付けられる。第２の凸部５３は、第１の凸部５２と同一形状である。
【００３１】
図３及び図４に示すように、筒部４６は、スイッチフレーム１１の支軸２４に嵌合するものであり、第１・第２の凸部５２，５３は、支軸２４に指向して設けられるものとも言える。
さらに、第１の凸部５２の中心及び支軸２４（筒部４６）を結ぶ直線Ａ１と、第２の凸部５３の中心及び支軸２４（筒部４６）を結ぶ直線Ａ２とのなす角度をＢ１とするときに、角度Ｂ１は略９０°に設定される。
【００３２】
段差部４９は、詳しくは、ケース１５と回転操作ノブ１２との間に板ばね１４を納める空間である。
複数の凹部５１は、ロータリスイッチ１０が、１０ポジションの切換えを可能にするスイッチなので、筒部４６（支軸２４）を中心にして３６°間隔で均等に１０個設けられる。
【００３３】
第１〜第３の位置決め突起５４〜５６は、基盤４４の下面に３個設けられるものであり、角度Ｂ１の中心線をＣ１とするときに、中心線Ｃ１に第１の位置決め突起５４が設けられ、この第１の位置決め突起５４と同心上に且つ第１の位置決め突起５４から左右に９０°ずつずらした位置に第２・第３の位置決め突起５５，５６が設けられる。
なお、第１の位置決め突起５４を省略し、第２・第３の位置決め突起５５，５６のみで接触片１３の位置決めをするようにしてもよい。
【００３４】
図６は図１に示されたロータリスイッチの接触片の平面図であり、図７は図６に示された接触片の側面図である。
図６及び図７に示すように、接触片１３は、板状のばね材料で形成される略リング状を呈した部材であり、半円リング状に形成され、回転操作ノブ１２に嵌合する基部６６と、
この基部６６の両端から連続的に半円リング状に延出された接点ばね部６７と、この接点ばね部６７に形成され、固定接点２２の複数の外周端子３１〜４０に選択的に接触し、且つ摺動する切換接点６８と、基部６６の中央部分からリング内方に延ばされ、固定接点２２の中央端子２９に選択的に接触するとともに摺動するコモン接点６９と、リング状の中心に向けて形成され、回転操作ノブ１２の第１・第２の凸部５２，５３（図４参照）に嵌合する第１・第２の嵌合部（嵌合孔）７２，７３と、基部６６に設けられ、操作回転ノブの第１〜第３の位置決め突起５４〜５６にそれぞれ嵌合する第１〜第３の位置決め部７４〜７６とからなる。
【００３５】
第１・第２の嵌合部（嵌合孔）７２，７３は、第１・第２の凸部５２，５３と同様に、直線Ａ１と直線Ａ２とのなす角度Ｂ１は、略９０°に設定される。
また、第１〜第３の位置決め部７４〜７６は、第１〜第３の位置決め突起５４〜５６と同様に、中心線Ｃ１に第１の位置決め部７４が設けられ、この第１の位置決め部７４と同心上に且つ第１の位置決め部７４から左右に９０°ずらした位置に第２・第３の位置決め部７５，７６が設けられる。
なお、先に説明したように、操作回転ノブ１２において第１の位置決め突起５４を省略した場合には、第１の位置決め部７４は省略したものであってもよい。
【００３６】
接点ばね部６７は、半円リングを２本の帯に分割する円弧状スリットを有する。この接点ばね部６７は、半円リングに円弧状スリット７７が設けられ、切換接点６８を２分割することで、外周端子３１〜４０との接触の信頼性を高めた。
コモン接点６９は、二股フォーク状の接点であり、切換接点６８と同様の考え方に基づき、二つの接点部７９，７９が設けられ、固定接点２２の中央端子２９との接触の信頼性を高めた。
【００３７】
第１・第２の嵌合部７２，７３は、実質的には第１・第２の凸部５２，５３に嵌合する嵌合孔であり、第１・第２の凸部５２，５３に嵌合するときの案内面７２ａ，７３ａを有する。
第１〜第３の位置決め部７４〜７６は、実質的には第１〜第３の位置決め突起５４〜５６に嵌合する孔である。第１・第２の位置決め部７４，７５は丸孔である。第３の位置決め部７６は、第２・第３の位置決め部７５，７６を結ぶ直線Ａ３に沿って長い長孔である。
【００３８】
図３に示すロータリスイッチ１０では、回転操作ノブ１２の位置決め突起５４〜５６に接触片１３の位置決め部７４〜７６を合わせ、回転操作ノブ１２の凸部５２，５３に接触片１３の嵌合部７２，７３を嵌合する。このときに、回転操作ノブ１２の二つの凸部５２，５３が支軸２４に指向して設けられ、凸部５２，５３に嵌合部７２，７３を嵌合するようにした。従って、接触片１３のたわみが嵌合部７２，７３をより嵌合する方向に作用し、二つの凸部５２，５３及び嵌合部７２，７３の嵌合する面に所定の角度を持たすことができ、回転操作ノブ１２に対する接触片１３のガタを吸収し、回転操作ノブ１２に接触片１３を強固に嵌合することができる。これにより、回転操作ノブ１２に接触片１３をカシメ等をする必要がなく、組立工数の削減を図ることができる。また、凸部５２，５３に嵌合部７２，７３を嵌合するだけなので、組付け強度の均一化を図ることができる。
【００３９】
また、図３に示すロータリスイッチ１０では、スイッチフレーム１１の支軸２４の廻りに接触片１３のコモン接点６９及び固定接点２２の中央端子２９が設けられ、これらのコモン接点６９及び中央端子２９の外方に切換接点６８及び外周端子３１〜４０が設けられる。これにより、スイッチのＯＮ／ＯＦＦの角度精度を高めることができるとともに、スイッチフレーム１１の底面のスペースを有効利用することができる。この結果、切換えの接点数を多く設定することができる。すなわち、多ポジションのロータリスイッチ１０を実現することができる。
【００４０】
さらに、図３に示すロータリスイッチ１０では、回転操作ノブ１２の略円板状の上面外周近傍に複数の凹部５１が設けられ、板ばね１４が凹部５１に選択的に嵌る嵌合凸部が設けられたので、回転操作ノブ１２の上部に板ばね１４を配置することができる。これにより、スイッチフレーム１１の外形を小さなものとすることができる。この結果、ロータリスイッチ１０の小型化を図ることができる。
【００４１】
図８は図１に示されたロータリスイッチの板ばねの平面図であり、図９は図８に示された板ばねの正面図であり、図１０は図８に示された板ばねの側面図である。
板ばね１４は、略リング状を呈し、スイッチフレーム１１に係止され、回転操作ノブ１２にクリック感を与える部材である。
【００４２】
詳細には、板ばね１４は、板状のばね材料で形成される部材であり、半円リング状の二つのばね部８１，８１と、これらのばね部８１，８１の接続部分から対向して延出される延出片８２，８２と、この延出片８２，８２がスイッチフレーム１１（図１参照）側に折曲げ形成され、スイッチフレーム１１の係止部２５，２５に圧入する圧入片８３，８３と、これらの圧入片８３，８３を結ぶ直線に直交した位置で且つ二つのばね部８１，８１にそれぞれ設けられ、回転操作ノブ１２の複数の凹部５１に選択的に嵌る二つの嵌合凸部８４，８４とからなる。
【００４３】
ばね部８１は、圧入片８３の近傍で下方に折曲げる第１の折曲げ部８５，８５が形成され、嵌合凸部８４の近傍で上方に折曲げる第２の折曲げ部８６，８６が形成されることで、回転操作ノブ１２の複数の凹部５１に水平に当たる。
【００４４】
圧入片８３は、スイッチフレーム１１の係止部２５に圧入するときに、係止部２５に案内できるように外方に曲げ形成された案内部８７と、係止部２５に強固に圧入することができるように内方にくい込ますように曲げ形成された内曲げ部８８とを有する。案内部８７は、内曲げ部８８の幅よりも幅拡に形成され、圧入強度を増す鍔部（圧入部）８９，８９を備える。
【００４５】
スイッチフレーム１１の係止部２５，２５は、圧入片８３，８３の外方に圧入片８３，８３が図１２で示す矢印Ｅ１方向に自由に動くことのできるスペースＳ１，Ｓ１を有するとともに、圧入片８３，８３は、係止部２５，２５に挟み込むように組付けられている。  従って、板ばね１４の嵌合凸部８４が、図１に示す回転操作ノブ１２の一つの凹部５１から隣の凹部５１に移行するときに、矢印Ｅ１方向に板ばね１４の動きが許容されるので、良好なクリック感が得られる。
【００４６】
また、鍔部（圧入部）８９，８９を圧入片８３の先端に設けたので、圧入片８３，８３は、図１１に示す矢印Ｄ１，Ｄ１方向に強固に固定されるが、図１２に示す矢印Ｅ１方向の動きを阻害することがないので、上記の如く良好なクリック感が得られる。
【００４７】
図１１は図１に示されたロータリスイッチのスイッチフレームに板ばねを組付けた組立図であり、図１２は図１１の１２−１２線断面図である。
先に説明したように、スイッチフレーム１１は、略正方形の対向するコーナに板ばね１４を係止する係止部２５，２５が設けられ、板ばね１４は、係止部２５，２５に圧入する圧入片８３，８３が設けられる。すなわち、略正方形のスイッチフレーム１１の対向するコーナに板ばね１４を係止する係止部２５，２５が設けられたので、係止部２５，２５のスパンを最も長く設定することができる。この結果、スイッチフレーム１１に板ばね１４が安定した状態で係止される。
【００４８】
また、板ばね１４に、係止部２５，２５に圧入する圧入片８３，８３が設けられたので、スイッチフレーム１１に対する板ばね１４のガタを防止することができる。これにより、回転操作ノブ１２に、フィーリングの良いクリック感（節度）を与えることができる。この結果、操作感の優れたロータリスイッチ１０を実現することができる。
【００４９】
図１に示すケース１５は、金属製の板材にて形成される部材であり、スイッチフレーム１１の上面から被せる略矩形のケース本体９１と、このケース本体９１の中央に形成され、回転操作ノブ１２の操作ノブを臨ます貫通部（孔）９２と、ケース本体９１の二つのコーナに形成され、スイッチフレーム１１の三角凸部２６，２６に臨ますコーナ切欠き部９３，９３と、ケース本体９１の四辺を下方に折曲げ形成され、スイッチフレーム１１の側面に被せる側面部９４，９４及び側面部９５，９５と、側面部９４の両端から外方にそれぞれ延出され、スイッチフレーム１１の突起部２７，２７に嵌合する嵌合片９６，９６と
を有する。
【００５０】
ケース本体９１は、板ばね１４の延出片８２，８２をスイッチフレーム１１とで挟み込むことで、板ばね１４のスイッチフレーム１１への固定を補完する部分でもある。これにより、スイッチフレーム１１に板ばね１４を強固に係止することができる。
【００５１】
図１に示すように、ロータリスイッチ１０では、回転操作ノブ１２に接触片１３を嵌合し、接触片１３、回転操作ノブ１２及び板ばね１４をこの順でスイッチフレーム１１に一括して納め、スイッチフレーム１１にケース１５を被せてロータリスイッチ１０の組立を完了する。構成部品は、固定接点２２が一体的に設けられたスイッチフレーム１１と、固定接点２２に接触する接触片１３と、接触片１３を操作する回転操作ノブ１２と、この回転操作ノブ１２にクリック感を与える板ばね１４と、スイッチフレーム１１に被せるケース１５との５部品だけなので、スイッチの構造の簡素化を図ることができる。
【００５２】
また、スイッチフレーム１１に、接触片１３、回転操作ノブ１２及び板ばね１４をこの順で且つ支軸２４に同軸にて納める構造なので、例えば、板ばね１４を回転操作ノブ１２の側方に配置する場合に比べ、ロータリスイッチ１０の小型化を図ることができる。
【００５３】
図１３は図１に示されたロータリスイッチの固定接点の平面図である。
図１に示すように、ロータリスイッチ１０は、先にも説明したように、１０ポジションの切換えを可能にするスイッチなので、固定接点２２は、中央端子２９がフレーム本体２１に１個設けられ、外周端子３１〜４０がフレーム本体２１に１０個設けられる。
さらに、外周端子３１〜４０は、３６°間隔で均等に中央端子２９の周りに設けられる。斜線を施した部分は、接触片１３のコモン接点６９及び切換接点６８との接触・摺動部分である。
【００５４】
図１４は図１に示されたロータリスイッチの別実施例の固定接点の平面図であり、図１５は図１に示されたロータリスイッチのさらなる別実施例の固定接点の平面図である。
図１４に示す固定接点１００は、８ポジションの切換えを可能にするロータリスイッチ用の接点であり、接触片１３（図１参照）のコモン接点６９に接触する１個の中央端子１０９と、接触片１３の切換接点６８に接触する８個の外周端子１０１〜１０８とを有する。
８個の外周端子１０１〜１０８は、４５°間隔で均等に中央端子の周りに設けられる。斜線を施した部分は、接触片１３のコモン接点６９及び切換接点６８との接触・摺動部分である。
【００５５】
図１５に示す固定接点１１０は、１２ポジションの切換えを可能にするロータリスイッチ用の接点であり、接触片１３（図１参照）のコモン接点６９に接触する１個の中央端子１２９と、接触片１３の切換接点６８に接触する１２個の外周端子１１１〜１２２とを有する。
１２個の外周端子１１１〜１２２は、３０°間隔で均等に中央端子１２９の周りに設けられる。斜線を施した部分は、接触片１３のコモン接点６９及び切換接点６８との接触・摺動部分である。
【００５６】
さらに、１２ポジション用の外部端子は、図１４に示す８ポジション用の外周端子１０２，１０４，１０６，１０８に、それぞれ図１５に示す切欠きＦ１〜Ｆ４を追加加工することで、外周端子１１１〜１２２を製造することが可能である。
すなわち、８ポジション用の固定接点１００の金型と１２ポジション用の固定接点１１０の金型とを共用することができる。この結果、固定接点１００，１１０の金型費を低減しつつ、切換の接点数が異なるロータリスイッチを実現することができる。
【００５７】
尚、本発明に係るロータリスイッチ１０は、図４に示すように、回転操作ノブ１２に２個の凸部５２，５３を形成したが、これに限るものではなく、接触片を取付ける凸部は、２個以上設けてもよい。
【産業上の利用可能性】
【００５８】
本発明に係るロータリスイッチは、撮影モードを決定するモード設定スイッチなどを有するデジタルカメラに採用するのに好適である。
【図面の簡単な説明】
【００５９】
【図１】本発明に係るロータリスイッチの分解斜視図である。
【図２】図１に示されたロータリスイッチの平面図である。
【図３】図２の３−３線断面図である。
【図４】図１に示されたロータリスイッチの回転操作ノブの下面に接触片を組付けた組立図である。
【図５】図４の５−５線断面図である。
【図６】図１に示されたロータリスイッチの接触片の平面図である。
【図７】図６に示された接触片の側面図である。
【図８】図１に示されたロータリスイッチの板ばねの平面図である。
【図９】図８に示された板ばねの正面図である。
【図１０】図８に示された板ばねの側面図である。
【図１１】図１に示されたロータリスイッチのスイッチフレームに板ばねを組付けた組立図である。
【図１２】図１１の１２−１２線断面図である。
【図１３】図１に示されたロータリスイッチの固定接点の平面図である。
【図１４】図１に示されたロータリスイッチの別実施例の固定接点の平面図である。
【図１５】図１に示されたロータリスイッチのさらなる別実施例の固定接点の平面図である。
【図１６】従来のロータリスイッチの説明図である。
【図１７】図１６に示されたロータリスイッチの分解図である。
【符号の説明】
【００６０】
１０…ロータリスイッチ、１１…スイッチフレーム、１２…回転操作ノブ、１３…接触片、１４…板ばね、１５…ケース、２２…固定接点、２４…支軸、２５…係止部、２９…中央端子、３１〜４０…外周端子、４６…筒部、５１…凹部、５２，５３…第１・第２の凸部、５４〜５６…第１〜第３の位置決め突起、６８…切換接点、６９…コモン接点、７２，７３…第１・第２の嵌合部、７４〜７６…第１〜第３の位置決め部、８３…圧入片、８４…嵌合凸部。
【図１】
2008166158.tif 000003
【図２】
2008166158.tif 000004
【図３】
2008166158.tif 000005
【図４】
2008166158.tif 000006
【図５】
2008166158.tif 000007
【図６】
2008166158.tif 000008
【図７】
2008166158.tif 000009
【図８】
2008166158.tif 000010
【図９】
2008166158.tif 000011
【図１０】
2008166158.tif 000012
【図１１】
2008166158.tif 000013
【図１２】
2008166158.tif 000014
【図１３】
2008166158.tif 000015
【図１４】
2008166158.tif 000016
【図１５】
2008166158.tif 000017
【図１６】
2008166158.tif 000018
【図１７】
2008166158.tif 000019